(57)【要約】【課題】単純な機構でユーザに適正な撮影距離を告知することのできる撮影装置を提供することである。【解決手段】被写体の画像の撮影を行う撮影装置に於いて、撮像レンズ２２の合焦面上に合焦確認用の表示を結像させるための合焦インジケータ４５を有している。そして、撮像の際は、上記合焦確認用の表示は、ＣＰＵ４３及び発光素子駆動回路４４によって消灯される。【選択図】      図２
2005049733.tif 000002
【特許請求の範囲】
【請求項１】
撮影光学系の合焦面上に合焦確認用の表示を結像させる投光手段を有する撮影装置に於いて、
撮影の際、上記表示を消灯する消灯手段を具備することを特徴とする撮影装置。
【請求項２】
撮影を指示する撮影指示部材を更に具備し、
上記消灯手段は、上記撮影指示部材の操作に応答して上記合焦確認用の表示を消灯することを特徴とする請求項１に記載の撮影装置。
【請求項３】
上記撮影指示部材の操作に応答した撮像の終了に応答して、上記消灯された上記合焦確認用の表示を再点灯させる再点灯手段を更に具備することを特徴とする請求項２に記載の撮影装置。
【請求項４】
撮影光学系の合焦面上に合焦確認用の表示を結像させる投光手段を有する撮影装置に於いて、
撮影に関する操作に応答して上記表示の点灯及び消灯を制御する制御手段を具備することを特徴とする撮影装置。
【請求項５】
二段スイッチで構成された撮影指示部材を更に具備し、
上記制御手段は、上記指示部材の二段目のスイッチ動作に応答して上記合焦確認用の表示を消灯するように上記投光手段を制御することを特徴とする請求項４に記載の撮影装置。
【請求項６】
上記制御手段は、上記指示部材の一段目のスイッチ操作に応答して上記合焦確認用の表示を点灯させるように上記投光手段を制御することを特徴とする請求項５に記載の撮影装置。
【請求項７】
撮影モードを通常撮影モードと近接撮影モードとの間で切換えるための撮影モード切換え手段を更に具備し、
上記制御手段は、上記撮影モードが近接撮影モードである場合に上記合焦確認用の表示を点灯させるように上記投光手段を制御することを特徴とする請求項４に記載の撮影装置。
【請求項８】
所定時間操作が行われなかった場合には、上記制御手段は上記合焦確認用の表示を消灯するように上記投光手段を制御することを特徴とする請求項７に記載の撮影装置。
【発明の詳細な説明】
【技術分野】
【０００１】
本発明は撮影が可能な撮影装置に関し、より詳細には、撮影時の合焦表示が可能な撮影装置に関するものである。
【背景技術】
【０００２】
近年、小型で安価な撮影装置が、種々開発されている。そして、安価な撮影装置の場合、撮影画像を確認するための液晶表示画面を有していないものがある。そのため、マクロ撮影時等は、合焦距離の確認のために、カメラに付属されているストラップを合焦距離と同じ長さにして、撮影の際にはそのストラップをあてがって被写体までの距離を測定し、ピントを合わせるという手法が用いられていた。
【０００３】
また、近距離側の所定距離以内に被写体が存在するとシャッタの開口動作を制御するカメラが知られている（例えば、特許文献１参照）。
【０００４】
更に、撮影光学系とは別のファインダ光学系内に二重増合致式の距離計を設け、ピントが合う位置で像が一致するようにして、ファインダ内で合焦状態を確認することができる技術が知られている（例えば、特許文献２参照）。
【特許文献１】特開２００２−３３３６４７号公報
【特許文献２】特開平７−３３３４８４号公報
【発明の開示】
【発明が解決しようとする課題】
【０００５】
しかしながら、上述したストラップを使用する方法では、ユーザは片手でストラップを引っ張って被写体までの距離を計測しなければならず、操作性の悪いものであった。
【０００６】
また、距離を計測したまま撮影してしまうと、ユーザの手とストラップが画面に写ってしまうので、撮影直前には被写体とカメラとの位置関係を保持したままストラップ及び手を撮影画角内から外し、その後レリーズ動作を行わなければならない。したがって、距離の計測から実際の撮影までの間にピントがずれてしまい、撮影された画像がピンボケとなりやすいものであった。
【０００７】
更に、上述した特許文献１によるカメラでは、所定の距離を検知するためのセンサや回路等が必要となり、部品点数の増加や装置の肥大化を招く虞れがあった。
【０００８】
一方、上述した特許文献２による方法では、ファインダ内の部品点数が増加する等、機構が複雑化すると共に大型化して、コスト上昇という問題もあった。
【０００９】
本発明は、上記実状に鑑みてなされたものであり、単純な機構でユーザに適正な撮影距離を告知することのできる撮影装置を提供することを目的とする。
【課題を解決するための手段】
【００１０】
すなわち、請求項１に記載の発明は、撮影光学系の合焦面上に合焦確認用の表示を結像させる投光手段を有する撮影装置に於いて、撮影の際、上記表示を消灯する消灯手段を具備することを特徴とする。
【００１１】
請求項２に記載の発明は、請求項１に記載の発明に於いて、撮影を指示する撮影指示部材を更に具備し、上記消灯手段は、上記撮影指示部材の操作に応答して上記合焦確認用の表示を消灯することを特徴とする。
【００１２】
請求項３に記載の発明は、請求項２に記載の発明に於いて、上記撮影指示部材の操作に応答した撮像の終了に応答して、上記消灯された上記合焦確認用の表示を再点灯させる再点灯手段を更に具備することを特徴とする。
【００１３】
請求項４に記載の発明は、撮影光学系の合焦面上に合焦確認用の表示を結像させる投光手段を有する撮影装置に於いて、撮影に関する操作に応答して上記表示の点灯及び消灯を制御する制御手段を具備することを特徴とする。
【００１４】
請求項５に記載の発明は、請求項４に記載の発明に於いて、二段スイッチで構成された撮影指示部材を更に具備し、上記制御手段は、上記指示部材の二段目のスイッチ動作に応答して上記合焦確認用の表示を消灯するように上記投光手段を制御することを特徴とする。
【００１５】
請求項６に記載の発明は、請求項５に記載の発明に於いて、上記制御手段は、上記指示部材の一段目のスイッチ操作に応答して上記合焦確認用の表示を点灯させるように上記投光手段を制御することを特徴とする。
【００１６】
請求項７に記載の発明は、請求項４に記載の発明に於いて、撮影モードを通常撮影モードと近接撮影モードとの間で切換えるための撮影モード切換え手段を更に具備し、上記制御手段は、上記撮影モードが近接撮影モードである場合に上記合焦確認用の表示を点灯させるように上記投光手段を制御することを特徴とする。
【００１７】
請求項８に記載の発明は、請求項７に記載の発明に於いて、所定時間操作が行われなかった場合には、上記制御手段は上記合焦確認用の表示を消灯するように上記投光手段を制御することを特徴とする。
【発明の効果】
【００１８】
本発明によれば、単純な機構でユーザに適正な撮影距離を告知することのできる撮影装置を提供することができる。
【００１９】
すなわち、請求項１に記載の発明によれば、合焦確認用の表示を結像させて、撮影の際は上記表示を消灯するので、ユーザに適正な撮影距離を告知すると共に表示の写り込みを防止することができる。
【００２０】
請求項２に記載の発明によれば、撮影指示部材の操作に応答して上記合焦確認用の表示を消灯するので、ユーザに適正な撮影距離を告知すると共に表示の写り込みを防止することができる。
【００２１】
請求項３に記載の発明によれば、撮像の終了に応答して合焦確認用の表示を再点灯させるので、引続き撮影を行う場合に便利である。
【００２２】
請求項４に記載の発明によれば、ユーザに適正な撮影距離を告知すると共に表示の写り込みを防止することができる。
【００２３】
請求項５に記載の発明によれば、指示部材の二段目のスイッチ動作に応答して上記合焦確認用の表示を消灯するように上記投光手段を制御するので、ユーザはへー経表示の写り込みを確実に防止することができる。
【００２４】
請求項６に記載の発明によれば、撮影動作に入ったら確実に合焦確認用の表示を点灯させるので、失敗のない画像を得ることができる。
【００２５】
請求項７に記載の発明によれば、近接撮影モード時に合焦確認用の表示によって確実にピントの合った画像を得ることができる。
【００２６】
請求項８に記載の発明によれば、撮影動作が行われない場合には無駄なエネルギー消費を防止することができる。
【発明を実施するための最良の形態】
【００２７】
以下、図面を参照して本発明の実施の形態を説明する。
【００２８】
（第１の実施形態）
図１は、本発明の撮影装置が適用されたもので、本発明の第１の実施形態に係る音声記録再生機能付カメラの構成を示した外観図であり、（ａ）は表面側を示した図、（ｂ）裏面側を示した図である。
【００２９】
音声記録再生機能付カメラの本体１０の表面側には、音声を電気信号に変換するための内蔵マイク１１と、録音中であることを表す録音表示ランプ１２と、例えばＬＣＤ等で構成されるディスプレイ１３とが設けられている。このディスプレイ１３は、音声を録音する際、該音声を録音する動作に関する情報等が表示される。
【００３０】
上記本体１０の表面側で、ディスプレイ１３の下方には、録音釦１４と、集中釦１５と、メニュー／フォルダ釦１７と、消去釦１８の、録音、再生時に使用される各種操作釦と、撮影時の操作を行うためのレリーズ釦２０が配設されている。このレリーズ釦２０は、後述するように、１段押し（半押し）でオンになるファーストレリーズスイッチ、及び２段押し（全押し）でオンになるセカンドレリーズスイッチの２段式のスイッチによって構成される。
【００３１】
尚、録音釦１４が押された場合には、上記内蔵マイク１１にて音声から変換された電気信号を本体１０内部の図示されない音声処理回路によってデータ化し、それを本体１０内蔵の図示されない記録媒体に記録する録音動作が行われる。これら、上記内蔵マイク１１、上記音声処理回路及び上記記録媒体は、それぞれ録音手段を構成する。
【００３２】
上記集中釦１５は、例えば停止、スキップ、逆スキップ、再生、早送り、早戻し等の操作を行うための釦が配置されている。
【００３３】
また、上記メニュー／フォルダ釦１７は、ディスプレイ１３に表示される各種操作メニューを表示させるための切換え釦及びフォルダ切換え用の兼用釦である。
【００３４】
また、本体１０の側面部には、撮影時の被写体観察用のファインダ（対物側）２１と、撮影光学系としての撮像レンズ（撮影レンズ）２２と、光源結像用レンズ２３が、それぞれ配設されている。この場合、ファインダ２１と撮像レンズ２２との間に、光源結像用レンズ２３が配設されている。
【００３５】
更に、撮像レンズ２２の下方には、通常撮影と近接（マクロ）撮影とのモードを切換えるための撮影モード切換え手段であるマクロ切換えスイッチ２５と、後述するようにパーソナルコンピュータ６０等の外部機器と接続するための外部接続端子２６が設けられている。そして、本体１０の側面部で下方部には、音声の音量を制御するためのボリュームつまみ２７が設けられている。
【００３６】
一方、上記本体１０の背面側には、音声再生用の内蔵スピーカ３０と、内部に電源となる乾電池を装填するための電池蓋３１が設けられている。
【００３７】
また、本体１０の上記マクロ撮影スイッチ２５が設けられている側と反対側の側面部には、ファインダ（接眼側）２１と、撮影が実行されていることを表す撮影ランプ３２と、イヤホン、ヘッドホン等の外部装置に音声信号を出力するための出力端子であるイヤホンジャック３３とが設けられている。
【００３８】
上記光源結像用レンズ２３は、後述するように、上記本体１０内に設けられたＬＥＤ等で構成された合焦インジケータ４５により照射された光を、図示されない被写体に導いて結像するために設けられている。
【００３９】
尚、上記インジケータ４５は投光手段を構成するものであり、録音釦１４が押されて録音状態にあるときに、録音中であることを示す録音表示ランプ１２を兼用している。
【００４０】
図２は、図１の音声記録再生機能付カメラの電気的構成を示すブロック図である。
【００４１】
図２に於いて、撮像レンズ２２より入射される図示されない被写体からの光は、ＣＣＤ等で構成される撮像素子３５に取り込まれて光電変換される。この撮像素子３５と上記撮像レンズ２２により、撮像手段である撮像部３６が形成される。
【００４２】
この撮像素子３５で電気信号に変換された画像信号は、画像処理部３７に出力される。この画像処理部３７には、該画像処理部３７、上記撮像部３６と共に撮像装置を構成するＤＲＡＭ３８と、記録媒体４１と、ＣＰＵ４３とが接続されている。
【００４３】
上記画像処理部３７は、ディスプレイ１３に表示されるべく画像や、記録媒体４１に記録されるまたは記録媒体４１から読み出される画像に対して各種処理を行うための画像処理手段である。
【００４４】
上記ＤＲＡＭ３８は、画像処理前の画像や、画像処理中の画像を一時的に記憶するためのメモリである。また、上記記録媒体４１は、このカメラの記憶媒体として画像を記録するためのものであり、カメラ本体１０より着脱自在に構成されている。
【００４５】
上記ＣＰＵ４３は、制御手段としてこのカメラ全体の制御動作を司るもので、デジタル信号処理部を有すると共に、各種の制御手段や図示されないタイマ等を有して構成されている。このＣＰＵ４３には、上記画像処理部３７、記録媒体４１の他に、発光素子駆動回路４４と、ＬＣＤ等で構成されるディスプレイ１３と、Ａ／Ｄコンバータ４９と、Ｄ／Ａコンバータ５０と、操作スイッチ（ＳＷ）５５と、外部接続端子２６とが接続されている。
【００４６】
上記発光素子駆動回路４４は、発光素子である合焦インジケータ４５を駆動するための回路である。この発光素子駆動回路４４が合焦インジケータ４５を駆動することにより、光源結像用レンズ２３を介して図示されない被写体に合焦用の光が照射される。尚、この発光素子駆動回路４４とＣＰＵ４３によって、消灯手段、再点灯手段を構成している。
【００４７】
上記内蔵マイク１１には、増幅器（ＡＭＰ）４７と、ローパスフィルタ（ＬＰＦ）４８３及びＤ／Ａコンバータ４９を介して、ＣＰＵ４３が接続されている。また、このＣＰＵ４３に接続されたＤ／Ａコンバータ５０には、ローパスフィルタ（ＬＰＦ）５１及び増幅器（ＡＭＰ）５２とを介して、内蔵スピーカ３０が接続されている。
【００４８】
上記内蔵マイク１１から入力された音声は、ここで電気信号に変換された後、増幅器４７により増幅され、且つ、ＬＰＦ４８によりその不要成分が除去される。そして、Ａ／Ｄコンバータ４９によってデジタル信号に変換されて、ＣＰＵ４３に入力される。このＣＰＵ４３内のデジタル信号処理部でデジタル音声信号に対する圧縮処理が施された後、音声データとして記録媒体４１に記録される。
【００４９】
また、記録媒体４１から音声データが読出されると、上記ＣＰＵ４３内のデジタル信号処理部にて伸長処理が施された後、Ｄ／Ａコンバータ５０でアナログ信号に変換されたる。そして、ＬＰＦ５１でその不要成分が除去され、増幅器５２で増幅された後、内蔵スピーカ３０から音声として出力される。
【００５０】
操作スイッチ５５は、上述した録音釦１４、集中釦１５、メニュー／フォルダ釦１７、消去釦１８、レリーズ釦２０に対応した各種スイッチや、マクロ切換えスイッチ２５、図示されないパワースイッチ等より構成されている。このうち、レリーズ釦２０に対応したレリーズスイッチは、操作指示部材を構成するもので、１段押し（半押し）でオンになるファーストレリーズスイッチ、及び２段押し（全押し）でオンになるセカンドレリーズスイッチの２段式のスイッチから成る。
【００５１】
また、外部接続端子２６は、外部のパーソナルコンピュータ６０とこの音声記録再生機能付カメラとを、ケーブル或いは無線通信により接続するためのものである。
【００５２】
次に、図３のフローチャートを参照して、本発明の第１の実施形態に於ける記録再生機能付カメラの撮影動作について説明する。尚、以下に述べるフローチャートの動作は、全てＣＰＵ４３の動作制御によって行われる。
【００５３】
また、このカメラの録音動作及び再生動作については、本発明とは直接関係のない動作であるので、ここでは説明を省略する。
【００５４】
先ず、電池が電池蓋３１内に装填される等して、電源がオンされると、この撮影動作のルーチンに入る。そして、ステップＳ１に於いて各種の初期設定が行われる。この初期設定とは、例えば、ＣＰＵ４３内の図示されないタイマの設定や各種のモード設定等である。
【００５５】
次いで、ステップＳ２に於いて、ファーストレリーズスイッチ（１ｓｔ．Ｒ）の状態が検出される。ここで、ファーストレリーズスイッチがオンされていればステップＳ３へ移行し、オフの場合はステップＳ１１に移行する。電源オン後は、先ずファーストレリーズスイッチはオンされていない状態であるので、ステップＳ１１へ移行する。
【００５６】
そして、ステップＳ１１では、レリーズスイッチ以外のその他のスイッチの状態が検出される。ここで、何らかのスイッチが操作されていれば、ステップＳ１２へ移行してその操作されたスイッチに応じた所動作が行われる。しかしながら、その他のスイッチも操作されていない場合は、ステップＳ１３へ移行する。
【００５７】
ステップＳ１３では、所定時間が経過したか否かが検出される。最初に電源をオンにしただけの状態では、所定時間の経過もされていないので、ステップＳ１４に移行して、サブルーチン「合焦インジケータ制御」の動作が実行される。一方、所定時間が経過していれば、ステップＳ１５へ移行する。
【００５８】
上記ステップＳ１４またはＳ１５の処理が終了すると、上記ステップＳ２へ移行する。
【００５９】
上記ステップＳ２に於いて、ファーストレリーズスイッチ（１ｓｔ．Ｒ）がオンされていれば、ステップＳ３へ移行して、サブルーチン「合焦インジケータ制御」の動作が実行される。
【００６０】
図４は、図３のフローチャートに於けるサブルーチン「合焦インジケータ制御」の動作を説明するフローチャートである。
【００６１】
このルーチンに入ると、先ず、ステップＳ２１に於いて、マクロ（ＭＡＣＲＯ）撮影モードであるか否かが検出される。これは、マクロ切換えスイッチ２５の状態で判定される。ここで、現在マクロ撮影モードである場合はステップＳ２２へ移行し、そうでない場合はステップＳ２４へ移行する。
【００６２】
現在の撮影モードがマクロ撮影モードである場合、ステップＳ２２にて合焦インジケータ４５の状態が検出される。ここで、合焦インジケータ４５がオンされていれば、本ルーチンを抜ける。一方、合焦インジケータ４５がオンされていない場合は、上記ステップＳ２１でマクロ撮影モードであるにもかかわらずその表示がなされていないことになる。したがって、ステップＳ２３へ移行して合焦インジケータ４５がオンされる。その後、本ルーチンを抜ける。
【００６３】
また、現在の撮影モードがマクロ撮影モードでない場合は、ステップＳ２４にて合焦インジケータ４５の状態が検出される。ここで、合焦インジケータ４５がオンされていなければ、本ルーチンを抜ける。一方、合焦インジケータ４５がオンされている場合は、上記ステップＳ２１でマクロ撮影モードでないとされたにもかかわらずその表示がなされていることになる。したがって、ステップＳ２５へ移行して合焦インジケータ４５がオフにされる。その後、本ルーチンを抜ける。
【００６４】
図３のフローチャートに戻って、ステップＳ３でサブルーチン「合焦インジケータ制御」の動作が実行された後、ステップＳ４にてセカンドレリーズスイッチの状態が検出される。ここで、セカンドレリーズスイッチがオンされていなければ、ステップＳ５へ移行してファーストレリーズスイッチの状態が検出される。
【００６５】
その結果、ファーストレリーズスイッチがオンされていれば、上記ステップＳ４に移行してセカンドレリーズスイッチがオンされるまでステップＳ４及びＳ５が繰り返される。一方、上記ステップＳ４及びＳ５の処理が繰り返されている間にファーストレリーズスイッチがオフにされたならば、ステップＳ１１に移行する。
【００６６】
上記ステップＳ４にて、セカンドレリーズスイッチがオンにされたならば、ステップＳ６に移行して、合焦インジケータ４５が現在点灯中（オン）であるか否かが検出される。ここで、合焦インジケータ４５がオフであればステップＳ８へ移行する。しかしながら、合焦インジケータ４５がオンされていれば、ステップＳ７へ移行して合焦インジケータ４５がオフにされる。これは、合焦インジケータ４５が点灯したままでは、被写体の撮影時に合焦インジケータ４５による表示が写り込んでしまうからである。
【００６７】
次いで、ステップＳ８にて撮影動作が行われる。この撮影動作は、通常撮影、マクロ撮影等、それぞれのモードに従って実行される。更に、ステップＳ９にて、撮影が終了したことが、ディスプレイ１３上に表示される。そして、ステップＳ１０にて、再びサブルーチン「合焦インジケータ制御」（図４参照）が実行される。
【００６８】
このサブルーチン「合焦インジケータ制御」の動作については、上述したので説明は省略する。
【００６９】
ステップＳ１１では、ファースト及びセカンドレリーズスイッチ以外のスイッチの操作がされたか否かが検出される。ここで、その他のスイッチがオンされた場合のみ、ステップＳ１２へ移行して、操作されたスイッチに対応した諸動作が実行される。
【００７０】
ステップＳ１３では、所定時間が経過したか否かが判定される。ここで、所定時間が経過していなければ、ステップＳ１４へ移行して、再びサブルーチン「合焦インジケータ制御」（図４参照）が実行される。その後、上記ステップＳ２へ移行する。
【００７１】
一方、上記ステップＳ１３にて、所定時間が経過したと判定された場合は、ステップＳ１５に移行して合焦インジケータ４５の状態が検出される。ここで、合焦インジケータ４５がオフになっていれば上記ステップＳ２へ移行する。一方、合焦インジケータ４５がまだ点灯（オン）されている場合は、撮影動作が終了しているので、ステップＳ１６へ移行して消灯（オフ）される。その後、上記ステップＳ２へ移行する。
【００７２】
図５は、合焦インジケータ４５の概念を示した図である。
【００７３】
図５に於いて、光源である合焦インジケータ４５から投光された光は、光源結像用レンズ２３を介して、マクロ撮影時の撮像レンズ２３の合焦面上で結像する。これを結像ポイント５７とする。
【００７４】
このとき、上記合焦面に対してピントが合っていない場合は、上記結像ポイント５７がぼやけているのが目視により確認できる。したがって、この結像ポイント５７がぼやけているようであれば、ピントが合っていないので、ユーザは結像ポイント５７の表示を確認しながら、カメラ本体１０を光軸上で前後させて撮影距離を調節すればよい。
【００７５】
このように、第１の実施形態によれば、簡単な構成でマクロ撮影時の合焦ポイントを容易に確認することができる。また、セカンドレリーズスイッチのオンに伴って合焦インジケータを消灯するようにしたので、結像ポイントが写り込むこともない。
【００７６】
尚、結像ポイント５７は、単に光の点であってもよいし、その他の形状であっても合焦時に目視で確認が容易になるものであればよい。例えば、十字形状の指標、表示文字、更にはマークであってもよい。
【００７７】
更に、結像ポイント５７の確認は、ファインダ２１を通して見るものであっても、ファインダ２１を介さずに直接目視するものであってもよい。
【００７８】
（第２の実施形態）
次に、本発明の第２の実施形態について説明する。
【００７９】
尚、本第２の実施形態に於ける装置の構成は上述した第１の実施形態と同じであり、図１、図２と同一の部分には同一の参照番号を付して、その図示及び説明は省略し、異なる動作についてのみ説明する。
【００８０】
図６は、本発明の第２の実施形態に於ける音声記録再生機能付カメラの撮影動作について説明するフローチャートである。尚、以下に述べるフローチャートの動作は、全てＣＰＵ４３の動作制御によって行われる。
【００８１】
すなわち、電源がオンされると、この撮影動作のルーチンに入る。そして、ステップＳ３１に於いて各種の初期設定が行われる。この初期設定とは、例えば、ＣＰＵ４３内の図示されないタイマの設定や各種のモード設定等である。
【００８２】
次いで、ステップＳ３２に於いて、ファーストレリーズスイッチ（１ｓｔ．Ｒ）の状態が検出される。ここで、ファーストレリーズスイッチがオンされていればステップＳ３３へ移行し、オフの場合はステップＳ４２に移行する。
【００８３】
ステップＳ３３では、サブルーチン「合焦インジケータ制御」の動作が実行される。このサブルーチン「合焦インジケータ制御」の動作については、上述したので説明は省略する。
【００８４】
次に、ステップＳ３４にてセカンドレリーズスイッチの状態が検出される。ここで、セカンドレリーズスイッチがオンされていなければ、ステップＳ３５へ移行してファーストレリーズスイッチの状態が検出される。
【００８５】
その結果、ファーストレリーズスイッチがオンされていれば、上記ステップＳ３４に移行してセカンドレリーズスイッチがオンされるまでステップＳ３４及びＳ３５が繰り返される。一方、上記ステップＳ３４及びＳ３５の処理が繰り返されている間にファーストレリーズスイッチがオフにされたならば、ステップＳ３６に移行する。
【００８６】
ステップＳ３６では、合焦インジケータ４５の状態が検出される。ここでは、ファーストレリーズスイッチがオフになっているため、撮影動作は行われない状態である。したがって、合焦インジケータ４５が点灯されていれば、ステップＳ３７へ移行してこれが消灯される。その後、ステップＳ４２へ移行する。一方、上記ステップＳ３６にて合焦インジケータ４５が点灯されていない場合は、そのままステップＳ４２へ移行する。
【００８７】
上記ステップＳ３４にて、セカンドレリーズスイッチがオンにされたならば、ステップＳ３８に移行して、合焦インジケータ４５が現在点灯中（オン）であるか否かが検出される。ここで、合焦インジケータ４５がオフであればステップＳ４０へ移行する。しかしながら、合焦インジケータ４５がオンされていれば、ステップＳ３９へ移行して合焦インジケータ４５がオフにされる。これは、合焦インジケータ４５が点灯したままでは、被写体の撮影時に合焦インジケータ４５による表示が写り込んでしまうからである。
【００８８】
次いで、ステップＳ４０にて撮影動作が行われる。この撮影動作は、通常撮影、マクロ撮影等、それぞれのモードに従って実行される。更に、ステップＳ４１にて、撮影が終了したことが、ディスプレイ１３上に表示される。
【００８９】
そして、ステップＳ４２では、ファースト及びセカンドレリーズスイッチ以外のスイッチの操作がされたか否かが検出される。ここで、その他のスイッチがオンされた場合のみ、ステップＳ４３へ移行して、操作されたスイッチに対応した諸動作が実行される。このステップＳ４３の処理動作の後、及び上記ステップＳ４２にてその他のスイッチも操作されない場合は、上記ステップＳ３２へ移行する。
【００９０】
このように、第２の実施形態によれば、第１の実施形態と同様に、簡単な構成でマクロ撮影時の合焦ポイントを容易に確認することができる。また、セカンドレリーズスイッチのオンに伴って合焦インジケータを消灯するようにしたので、結像ポイントが写り込むこともない。
【００９１】
更に、第２の実施形態では、ファーストレリーズスイッチがオンされたら合焦インジケータが制御されるようにしているので、上述した第１の実施形態に比べて制御動作を簡略化することができると共に、電力を節約することができる。
【００９２】
尚、上述した第１及び第２の実施形態に於いては、合焦インジケータ４５から照射される光は光源結像用レンズ２３を介して被写体に照射されるようにしているが、これに限られるものではない。つまり、被写体に対してピントが合うように集光するものであれば、例えば凹面鏡を使用してもよい。
【００９３】
また、上述した実施形態では、カメラ機能による撮影時にはレリーズ釦２０を使用するようにしているが、例えば、録音釦１４がレリーズ釦を兼用して、カメラ機能に切換えた後に録音釦１４が押されればレリーズ釦として作用するようにしてもよい。このように構成すれば、更に部品点数の削減を図ることができる。
【００９４】
更に、上述した実施形態では結像ポイントの表示用に合焦インジケータ４５７を用いているが、これは撮影ランプや録音ランプのＬＥＤを使用してもよい。或いは、フラッシュ装置等の補助光を光源として使用するものであってもよい。
【００９５】
尚、上述した実施形態では、単に画像としてデジタルカメラを例として説明したが、銀塩フィルムを使用したカメラにも適用可能であるのは勿論である。
【図面の簡単な説明】
【００９６】
【図１】本発明の撮影装置が適用されたもので、本発明の第１の実施形態に係る音声記録再生機能付カメラの構成を示した外観図であり、（ａ）は表面側を示した図、（ｂ）裏面側を示した図である。
【図２】図１の音声記録再生機能付カメラの電気的構成を示すブロック図である。
【図３】本発明の第１の実施形態に於ける音声記録再生機能付カメラの撮影動作について説明するフローチャートである。
【図４】図３のフローチャートに於けるサブルーチン「合焦インジケータ制御」の動作を説明するフローチャートである。
【図５】合焦インジケータ４５の概念を示した図である。
【図６】本発明の第２の実施形態に於ける音声記録再生機能付カメラの撮影動作について説明するフローチャートである。
【符号の説明】
【００９７】
１０…本体、１１…内蔵マイク、１２…録音表示ランプ、１３…ディスプレイ、１４…録音釦、１５…集中釦、１７…メニュー／フォルダ釦、１８…消去釦、２０…レリーズ釦、２１…ファインダ、２２…撮像レンズ、２３…光源結像用レンズ、２５…マクロ切換えスイッチ、３０…内蔵スピーカ、３５…撮像素子、３７…画像処理部、４１…記録媒体、４３…ＣＰＵ、４４…発光素子駆動回路、４５…合焦インジケータ、５５操作スイッチ、５７…結像ポイント。
【図１】
2005049733.tif 000003
【図２】
2005049733.tif 000004
【図３】
2005049733.tif 000005
【図４】
2005049733.tif 000006
【図５】
2005049733.tif 000007
【図６】
2005049733.tif 000008